(57)【特許請求の範囲】
【請求項１】
屋根下地の上面に断熱材を設けてこの断熱材を防水シートで覆った屋根において、
頭部およびこの頭部から下方に延びる複数の脚部を有し前記複数の脚部が前記断熱材に上面から突き刺さって前記屋根下地上に乗りかつ前記頭部の上面が前記断熱材の上面と略同じレベルにあって前記断熱材と共に前記防水シートで覆われる受け具と、
前記防水シートの上から前記受け具上に配置され上面から防水シートおよび前記受け具を貫通するねじ部材で前記屋根下地に固定される嵩上げ台と、
この嵩上げ台の周辺の前記防水シートの上面部分に渡って前記嵩上げ台を覆う防水覆い材と、
レール状に延びるつかみ具取付け用頭部を有し前記防水覆い材の上から前記嵩上げ台上に配置されて前記嵩上げ台にねじ部材で固定される固定レールと、
この固定レールの下面および前記嵩上げ台の上面にそれぞれ配置されて前記固定レールを固定するねじ部材が貫通しその貫通孔とねじ部材との間を密封する外側および内側のシール用テープと、
架台のフレームに取付けられ前記固定レールの前記つかみ具取付け用頭部につかみ状態に取付けられるつかみ具、
とを備えた屋根の架台設置構造。
【請求項２】
請求項１において、前記屋根下地がデッキプレートであり、このデッキプレートの波山部分の上面に前記受け具が配置され、前記固定レールの前記つかみ具取付け用頭部は前記デッキプレートの波山部分の稜線方向に沿って延びる屋根の架台設置構造。
【請求項３】
請求項１または請求項２において、前記屋根下地がＡＬＣ版、または鉄筋コンクリート造体、または合板である屋根の架台設置構造。
【請求項４】
請求項１ないし請求項３のいずれか１項において、前記受け具が下向き溝形の鋼板折り曲げ品であり、前記嵩上げ台が下向きのリップ溝形鋼の切片であり、前記各ねじ部材がドリル付きタッピンねじであり、前記外側および内側のシール用テープがブチルテープである屋根の架台設置構造。
【請求項５】
請求項１ないし請求項４のいずれか１項において、前記架台のフレームが、設備架台のフレームである屋根の架台設置構造。
【請求項６】
請求項５において、前記架台のフレームが、複数の太陽電池モジュールを設置した設備架台のフレームである屋根の架台設置構造。
【発明の詳細な説明】
【技術分野】
【０００１】
この発明は、シート防水の外断熱屋根において、太陽光発電設備や空調設備などの設備や、そのほか屋上設置物を設置する構造として、防水性能を備えた支持架台となる屋根の架台設置構造に関する。
【背景技術】
【０００２】
一般に、デッキプレート等の金属屋根ではないＲＣ造等の陸屋根において、空調設備や太陽光発電設備などにおける設備架台を設置する場合、屋根面上に架台固定用の基礎を設ける。この場合、屋根防水は、架台基礎に配慮した納まりとする必要がある。
【０００３】
一方、デッキプレート等の金属下地の上に断熱材を配置したシート防水の外断熱屋根（デッキ下地屋根と称す）においては、次のものが提案されている（特許文献１）。これはリユース目的とした発明であり、製作工場で予め屋根パネルとしてパネル化しておき、工事現場でパネル間目地を処理し、デッキ下地屋根を構築するものである。
【先行技術文献】
【特許文献】
【０００４】
【特許文献１】特開２００７−１９７９４９号公報
【発明の概要】
【発明が解決しようとする課題】
【０００５】
陸屋根に設置される設備架台固定用基礎は、コンクリート製のものが多く、その場合、屋根面への荷重が増加するという問題がある。
また、上記したデッキ下地屋根の場合、防水シート上への架台固定用の基礎の構築が困難である。デッキ下地屋根では、外断熱屋根へ空調設備や太陽光発電設備などを設置する場合、デッキ下地または屋根梁から架台基礎が立ち上がる構成となるため、架台基礎が防水シートを貫通してしまう。そのため、防水性能確保への懸念が生じる。デッキ下地屋根において、防水シートの上に架台基礎を設置するのでは、金属下地上で防水シートの下に配置される断熱材が、架台基礎の重量により凹み、架台基礎が沈み込んでしまう。また、提案例のデッキ下地屋根はリユースを目的としたものであり、架台基礎を付加する場合、架台基礎も含めた形でリユースが可能な新たな構造が求められる。
【０００６】
この発明の目的は、屋根下地の上に断熱材および防水シートを設けた外断熱屋根において、屋根面への荷重増加を少なくし、かつ防水性能を確保して、太陽光発電設備や空調設備などの屋上設置物の架台を安定して設置することができる屋根の架台設置構造を提供することである。
【課題を解決するための手段】
【０００７】
この発明の屋根の架台設置構造は、屋根下地の上面に断熱材を設けてこの断熱材を防水シートで覆った屋根において、頭部およびこの頭部から下方に延びる複数の脚部を有し前記複数の脚部が前記断熱材に上面から突き刺さって前記屋根下地上に乗りかつ前記頭部の上面が前記断熱材の上面と略同じレベルにあって前記断熱材と共に前記防水シートで覆われる受け具と、前記防水シートの上から前記受け具上に配置され上面から防水シートおよび前記受け具を貫通するねじ部材で前記屋根下地に固定される嵩上げ台と、この嵩上げ台の周辺の前記防水シートの上面部分に渡って前記嵩上げ台を覆う防水覆い材と、レール状に延びるつかみ具取付け用頭部を有し前記防水覆い材の上から前記嵩上げ台上に配置されて前記嵩上げ台にねじ部材で固定される固定レールと、この固定レールの下面および前記嵩上げ台の上面にそれぞれ配置されて前記固定レールを固定するねじ部材が貫通しその貫通孔とねじ部材との間を密封する外側および内側のシール用テープと、架台のフレームに取付けられ前記固定レールの前記つかみ具取付け用頭部につかみ状態に取付けられるつかみ具、とを備えたものである。
【０００８】
この構成によると、複数の脚部を有する受け具を設けており、この受け具の脚部が断熱材に上面から突き刺さって屋根下地上に乗り、この受け具上に嵩上げ台および固定レールを介して架台のフレームが設置されるため、架台の荷重は、断熱材に殆ど作用することなく屋根下地材で受けられる。そのため、屋根下地上に断熱材を配置する外断熱構造の屋根でありながら、設備の荷重による断熱材の凹みの問題を生じることなく、安定して架台を設置することができる。前記受け具は脚部を断熱材に突き刺すため、受け具の設置のために断熱材の一部を除去するなどの作業が不用であり、受け具の設置が簡単に行える。受け具は、断熱材を覆う防水シートにより、頭部を含めて全体が覆われるため、固定用のねじ部材の貫通部の防水処理だけで防水性が確保でき、防水処理が容易である。また、嵩上げ台を設け、その上に固定レールを設けるため、固定レールに取付けられる架台のフレームが、屋根面となる防水シートの上面から上方に離れる。そのため、屋根面上を流れる雨水等が架台のフレームに触れることが回避できる。嵩上げ台は受け具を貫通するねじ部材で屋根下地に固定されるため、堅固に固定でき、かつ固定作業も簡単に行える。嵩上げ台は、この嵩上げ台の周辺の防水シートの上面部分に渡って防水覆い材で覆い、また嵩上げ台とその上の固定レールとの間は、前記防水覆い材の外・内に重ねる外側および内側のシール用テープを設けるため、固定レールを嵩上げ台にねじ固定する簡単な固定作業で済む固定構造でありながら、防水性を確保することができる。また、受け具、嵩上げ台、および固定レールで構成されるため、コンクリート造の架台基礎と異なり、軽量にできる。このように、屋根下地の上に断熱材および防水シートを設けた外断熱屋根において、屋根面への荷重増加を少なくし、かつ防水性能を確保して、太陽光発電設備や空調設備などの架台を安定して設置することができる。
【０００９】
この発明において、前記屋根下地がデッキプレートであり、このデッキプレートの波山部分の上面に前記受け具が配置され、前記固定レールの前記つかみ具取付け用頭部は前記デッキプレートの波山部分の稜線方向に沿って延びるものであっても良い。
この構成の場合、屋根がデッキ下地屋根であるため、工場製作されるリユースを目的としたものである場合でも、あらじめ製作段階で架台を設置することができ、架台も含めた屋根全体のリユースが可能である。
【００１０】
この発明において、前記屋根下地がＡＬＣ版、または鉄筋コンクリート造体、または合板であっても良い。すなわち、屋根がデッキ下地屋根以外の外断熱屋根であっても、屋根面への荷重増加を少なくし、かつ防水性能を確保して、空調設備や太陽光発電設備などの架台を設置することができる。
【００１１】
この発明において、前記受け具が下向き溝形の鋼板折り曲げ品であり、前記嵩上げ台が下向きのリップ溝形鋼の切片であり、前記各ねじ部材がドリル付きタッピンねじであり、前記外側および内側のシール用テープがブチルテープであっても良い。この構成の場合、製造や現場施工がより一層容易となる。
【００１２】
この発明において、前記架台のフレームが、各種の設備の架台である設備架台のフレームであっても良い。例えば、前記架台のフレームが、複数の太陽電池モジュールを設置した設備架台のフレームであっても良い。太陽光発電設備の架台のフレームである場合、外断熱屋根への太陽光発電設備の設置を、屋根面への荷重負担を少なくし、かつ防水性能を確保して、容易に行うことができる。
【発明の効果】
【００１３】
この発明の屋根の架台設置構造は、屋根下地の上面に断熱材を設けてこの断熱材を防水シートで覆った屋根において、頭部およびこの頭部から下方に延びる複数の脚部を有し前記複数の脚部が前記断熱材に上面から突き刺さって前記屋根下地上に乗りかつ前記頭部の上面が前記断熱材の上面と略同じレベルにあって前記断熱材と共に前記防水シートで覆われる受け具と、前記防水シートの上から前記受け具上に配置され上面から防水シートおよび前記受け具を貫通するねじ部材で前記屋根下地に固定される嵩上げ台と、この嵩上げ台の周辺の前記防水シートの上面部分に渡って前記嵩上げ台を覆う防水覆い材と、レール状に延びるつかみ具取付け用頭部を有し前記防水覆い材の上から前記嵩上げ台上に配置されて前記嵩上げ台にねじ部材で固定される固定レールと、この固定レールの下面および前記嵩上げ台の上面にそれぞれ配置されて前記固定レールを固定するねじ部材が貫通しその貫通孔とねじ部材との間を密封する外側および内側のシール用テープと、架台のフレームに取付けられ前記固定レールの前記つかみ具取付け用頭部につかみ状態に取付けられるつかみ具とを備えたため、屋根下地の上に断熱材を設けた外断熱屋根において、屋根面への荷重増加を少なくし、かつ防水性能を確保して、空調設備や太陽光発電設備などの架台を設置することができる。
【図面の簡単な説明】
【００１４】
【図１】（Ａ）はこの発明の一実施形態にかかる屋根の架台設置構造を採用したデッキ下屋根の平面図、（Ｂ）は同側面図である。
【図２】同架台設置構造の概略の構成を示す斜視図である。
【図３】（Ａ）は同架台設置構造の正面断面図、（Ｂ）はその受け具の斜視図である。
【図４】同架台設置構造の平面図である。
【図５】同架台設置構造における防水シートの止着構造を示す斜視図である。
【図６】同架台設置構造におけるつかみ具の取付け状態を示す正面断面図である。
【図７】同架台設置構造におけるつかみ具への設備フレームの取付け状態を示す側面図である。
【図８】この発明の他の実施形態にかかる屋根の架台設置構造の正面断面図である。
【発明を実施するための形態】
【００１５】
この発明の一実施形態を図１ないし図７と共に説明する。図１（Ａ）はこの発明の一実施形態にかかる架台設置構造を採用した屋根の平面図を示し、図１（Ｂ）はその屋根の右側面図を示す。この屋根１には、複数の太陽電池モジュール３１を備えた太陽光発電設備３０が設置されている。図２は、図１の屋根１において、太陽光発電設備３０の一つの太陽電池モジュール３１が設置された部分の概略の構成を斜視図で示している。この実施形態の屋根１は、屋根下地となるデッキプレート２の上面に断熱材３を設けて、この断熱材３をさらに防水シート４で覆ってなるデッキ下地屋根である。
【００１６】
この屋根１における架台設置構造は、前記太陽光発電設備３０の設備架台のフレーム３２を取付ける構造であって、図３に示す受け具５、嵩上げ台６、防水覆い材７、固定レール８、シール用テープ９，１０、および図６に示すつかみ具１１を備える。図２において、設備架台のフレーム３２は、ここでは太陽光発電設備３０における複数の太陽電池モジュール３１を設置したフレームである。なお、設備架台は、太陽光発電設備３０の設備架台のほかに、例えば空調室外機、キュービクル、アンテナ等の設備を設置する架台であっても良い。また、前記フレームは、設備架台のフレームに限らず、例えば、屋上に設置される看板や手摺等の任意の屋上設置物の架台のフレームであってもよい。
【００１７】
屋根１の断熱材３の素材は発泡ポリスチレンからなり、この断熱材３を覆う防水シート４の素材は塩化ビニルシートからなる。この場合、断熱材３を防水シート４で直接覆うと、断熱材３と防水シート４の接触面において経時的に断熱材（発泡ポリスチレン）３が溶け、これにより防水シート（塩化ビニル）４が硬化してしまうという不具合が生じる。そこで、ここでは図３のように、断熱材３と防水シート４の間に絶縁シート１４を介在させることで、断熱材３と防水シート４が直接に触れないようにしている。断熱材３の素材としては、このほか発泡ウレタン等の発泡樹脂や、ロックウールボードや、グラスウール等を使用しても良く、この場合には絶縁シート１４は不要である。
【００１８】
受け具５は、頭部５ａ、およびこの頭部５ａから下方に延びる複数の脚部５ｂを有する金具であって、これら複数の脚部５ｂが断熱材３にその上面から突き刺さって屋根下地であるデッキプレート２の上面に載せられる。つまり、受け具５は、屋根下地であるデッキプレート２の波山部分２ａの上面に配置される。この配置状態で、受け具５の頭部５ａの上面は、断熱材３の上面と略同じレベルに揃えられる。この受け具５は、断熱材３と共に防水シート４で覆われる。ここでは、受け具５として、下向き溝形の鋼板折り曲げ品が用いられている。
【００１９】
嵩上げ台６は防水シート４の上から受け具５上に配置され、上面から防水シート４および受け具５を貫通するねじ部材１２により屋根下地であるデッキプレート２に固定される。ここでは、嵩上げ台６として下向きのリップ溝形鋼の切片が用いられ、ねじ部材１２としてドリル付きタッピンねじが用いられている。このほか、嵩上げ台６として、木製や樹脂製のブロックを用いても良い。
【００２０】
このように、嵩上げ台６を、その上面から防水シート４および受け具５を貫通するねじ部材１２によりデッキプレート２に固定すると、固定ディスクを用いた機械的固定方法によらず、防水シート４を断熱材３と共にデッキプレート２に固定できる。ただし、嵩上げ台６の配置部以外の箇所では、図５に示すように固定ディスク２１を用いて防水シート４を断熱材３と共にデッキプレート２に固定している。固定ディスク２１は、その頭部をディスク形状としたビスであり、その頭部と防水シート４との間には補強シート２２が介在させてある。このように固定ディスク２１を用いるとしても、防水シート４の固定箇所の一部を、固定ディスク２１によらず嵩上げ台６の固定で兼用することができるので、固定ディスク２１の使用個数を低減でき、コスト低下が可能となる。
【００２１】
また、固定ディスク２１を用いて防水シート４を固定する機械的固定方法では、風荷重によって防水シート４にばたつき（フラッタリング）が生じて、固定ディスク２１に緩みが生じる可能性があるが、嵩上げ台６の固定を防水シート４の固定に兼用した箇所では、固定手段であるねじ部材１２が受け具５を貫通してデッキプレート２に達しているため、緩み止め効果が期待できるという利点もある。
【００２２】
防水覆い材７は、嵩上げ台６、およびその周辺の防水シート４の上面部分に渡って覆う部材であり、嵩上げ台６の端面の開口となる小口部分も覆う。防水覆い材７は、シート状のものであっても、板材を折り曲げて形成した固形の役物であっても良く、この実施形態では防水性のシートを用いている。
【００２３】
固定レール８は、レール状に延びるつかみ具取付け用頭部８ａを有し、防水覆い材７の上から嵩上げ台６上に配置されて、嵩上げ台６に複数のねじ部材１３で固定される。ここでは、固定レール８は、断面が不等脚のコ字状の一対のレール分割体１８，１８を背合わせに配置して構成される。各レール分割体１８，１８は鋼製である。この固定レール８は、そのつかみ具取付け用頭部８ａが、屋根下地であるデッキプレート２の波山部分２ａの稜線方向に沿って延びるように配置される。ここでも、ねじ部材１３としてドリル付きタッピンねじが用いられている。ねじ部材１３は、具体的には、各レール分割体１８，１８毎に、その下側のフランジの上面から嵩上げ台６の上面部となるウェブ部に貫通して固定する。
【００２４】
固定レール８の下面にはシール用テープ９が配置され、嵩上げ台６の上面にもシール用テープ１０が配置される。これら外側および内側のシール用テープ９，１０には、固定レール８を固定するねじ部材１３が貫通し、その貫通孔とねじ部材１３との間をこれらのシール用テープ９，１０が密封する。これらのシール用テープ９，１０は、数mm程度の厚さを有する厚手の樹脂製弾性シートであることが好ましく、ここではブチルテープが用いられている。シール用テープ９，１０は、例えば両面粘着テープとされる。
【００２５】
つかみ具１１は設備架台のフレーム３２に取付けられる金具であって、このつかみ具１１が図６のように固定レール８のつかみ具取付け用頭部８ａにつかみ状態に取付けられることによって、太陽光発電設備の設備架台が屋根２１に設置される。このつかみ具１１は、左右一対のつかみ具分割体１５Ａ，１５Ｂと、これら両つかみ具分割体１５Ａ，１５Ｂを連結するねじ部材であるボルト１６・ナット１７とでなる。ボルト１６は両つかみ具分割体１５Ａ，１５Ｂに渡ってその並び方向に貫通しており、このボルト１６に螺合させたナット１７を締め込むことにより、両つかみ具分割体１５Ａ，１５Ｂが互いに接近するように構成されている。両つかみ具分割体１５Ａ，１５Ｂは、その並び方向に向いて互いに対向する一対のリップ状の立片１５ａ，１５ａを有し、前記ナット１７の締め込みにより両立片１５ａ，１５ａ間で固定レール８のつかみ具取付け用頭部８ａを挟み込むようにされている。また、両つかみ具分割体１５Ａ，１５Ｂのうち、一方のつかみ具分割体１５Ａの上面には、つかみ具１１が固定レール８のつかみ具取付け用頭部８ａに取付けられた状態で、両つかみ具分割体１５Ａ，１５Ｂの並び方向の略中央位置となる位置に、フレーム締付け用ボルト１９が立設されている。つかみ具１１の側面図を示す図７のように、フレーム締付け用ボルト１９を、設備架台のフレーム３２のボルト挿通孔（不図示）に挿通し、このボルト１９に螺合させたナット２０でフレーム３２をつかみ具１１の上面に締め付けることにより、設備架台のフレーム３２がつかみ具１１の上に取付けられる。
【００２６】
なお、つかみ具１１は、図６および図７に示す構成のものに限らず、固定レール８のつかみ具取付け用頭部８ａを挟み込む機能と、設備架台のフレーム３２に取付けられる機能とを備えたものであれば、どのような構成のものであってもかまわない。
【００２７】
上記構成の屋根の架台設置構造によると、複数の脚部５ｂを有する受け具５を設けており、この受け具５の脚部５ｂが断熱材３に上面から突き刺さって屋根下地であるデッキプレート２上に乗り、この受け具５上に嵩上げ台６および固定レール８を介して設備架台のフレーム３２が設置される。このため、設備架台の荷重は、断熱材３に殆ど作用することなくデッキプレート２で受けられる。そのため、デッキプレート２上に断熱材３を配置する外断熱構造の屋根でありながら、設備の荷重による断熱材３の凹みの問題を生じることなく、安定して設備架台を設置することができる。前記受け具５は脚部５ｂを断熱材３に突き刺すため、受け具５の設置のために断熱材３の一部を除去するなどの作業が不用であり、受け具５の設置が簡単に行える。受け具５は、断熱材３を覆う防水シート４により、頭部を含めて全体が覆われるため、固定用のねじ部材１２の貫通部の防水処理だけで防水性が確保でき、防水処理が容易である。
【００２８】
また、嵩上げ台６を設け、その上に固定レール８を設けるため、固定レール８に取付けられる設備架台のフレーム３２が、屋根面となる防水シート４の上面から上方に離れる。そのため、屋根面上を流れる雨水等が設備架台のフレーム３２に触れることが回避できる。嵩上げ台６は受け具５を貫通するねじ部材１２でデッキプレート２に固定されるため、堅固に固定でき、かつ固定作業も簡単に行える。嵩上げ台６は、この嵩上げ台６の周辺の防水シート４の上面部分に渡って防水覆い材７で覆い、また嵩上げ台６とその上の固定レール８との間は、防水覆い材７の外・内に重ねる外側および内側のシール用テープ９，１０を設けるため、固定レール８を嵩上げ台６にねじ固定する簡単な固定作業で済む固定構造でありながら、防水性を確保することができる。
また、受け具５、嵩上げ台６、および固定レール８で構成されるため、コンクリート造の設備架台基礎と異なり、軽量にできる。このように、デッキプレート２の上に断熱材３および防水シート４を設けた外断熱屋根において、屋根面への荷重増加を少なくし、かつ防水性能を確保して、太陽光発電設備や空調設備などの設備架台を安定して設置することができる。
【００２９】
また、固定レール８は、レール状に延びるつかみ具取付け用頭部８ａを有するので、長さ方向のどこにでもつかみ具１１を取付けることができ、設備架台の設置作業の作業性が向上する。
【００３０】
また、この実施形態では、屋根１がデッキ下地屋根であるため、屋根１が工場製作されるリユースを目的としたものである場合でも、あらじめ製作段階で設備架台を設置することができ、設備架台を含めた屋根全体のリユースも可能となる。
【００３１】
図８は、この発明の他の実施形態を示す。なお同図では、つかみ具１１の図示を省略している。この屋根の架台設置構造では、図１〜図７の実施形態において、屋根１の屋根下地をデッキプレート２に代えてＡＬＣ版２Ａとしている。嵩上げ台６は、その上面から防水シート４および受け具５を貫通するねじ部材１２により屋根下地であるＡＬＣ版２Ａに固定される。その他の構成および作用効果は図１〜図７の実施形態の場合と同様である。すなわち、屋根１がデッキ下地屋根以外の外断熱屋根であっても、図１〜図７の実施形態の場合と同様の作用効果を得ることができる。なお、屋根１の屋根下地は、この他に、ＲＣ構造の建物の屋根部となる鉄筋コンクリート造体であっても、あるいは木製の合板であっても良い。
【符号の説明】
【００３２】
１…屋根
２…デッキプレート（屋根下地）
２Ａ…ＡＬＣ版（屋根下地）
３…断熱材
４…防水シート
５…受け具
６…嵩上げ台
７…防水覆い材
８…固定レール
８ａ…つかみ具取付け用頭部
９…外側のシール用テープ
１０…内側のシール用テープ
１１…つかみ具
１２，１３…ねじ部材
３２…フレーム
【図１】
0005411039.tif 000002
【図２】
0005411039.tif 000003
【図３】
0005411039.tif 000004
【図４】
0005411039.tif 000005
【図５】
0005411039.tif 000006
【図６】
0005411039.tif 000007
【図７】
0005411039.tif 000008
【図８】
0005411039.tif 000009